(57)【要約】      （修正有）【課題】燃料電池ユニットが保護動作中で発電しない場合に、メンテマンがいなくともお客様に分かりやすく保護動作の詳細情報を伝えることができるリモコン表示を提供する。【解決手段】燃料電池ユニット１２と、発電状況を表示するリモコン装置１７とを備え、前記燃料電池ユニット１２は、あらかじめ定められた複数の制約理由のうち、少なくともいずれか一つが存在する場合には、発電しないように構成されており、前記リモコン装置１７は、前記燃料電池ユニット１２が前記制約理由により発電できない場合には、発電できないことを示す情報と、いずれの制約理由により発電できないかを視覚表現で区別した制約理由情報とを表示する燃料電池システム１１である。【選択図】図１
2014197458.tif 000002
【特許請求の範囲】
【請求項１】
燃料電池ユニットと、前記燃料電池ユニットの発電状況を表示するリモコン装置とを備えた燃料電池システムであって、前記燃料電池ユニットは、あらかじめ定められた複数の制約理由のうち、少なくともいずれか一つが存在する場合には、発電しないように構成されており、前記リモコン装置は、前記燃料電池ユニットが前記制約理由により発電できない場合には、発電できないことを示す情報と、いずれの制約理由により発電できないかを視覚表現で区別した制約理由情報とを表示する燃料電池システム。
【請求項２】
前記リモコン装置は、前記燃料電池ユニットが二つ以上の制約理由により発電できない場合には、前記二つ以上の制約理由のうち、継続する時間が最も長い制約理由を前記制約理由情報として表示する請求項１記載の燃料電池システム。
【請求項３】
前記リモコン装置は、前記燃料電池ユニットが制約理由により発電できない場合に、前記の制約理由が異なる領域に既に状態表示している場合には、前記制約理由情報として表示しない請求項１記載の燃料電池システム。
【請求項４】
前記制約理由情報は、色の違いにより区別されている請求項１または２記載の燃料電池システム。
【請求項５】
前記制約理由情報は、アイコンの違いにより区別されている請求項１または２記載の燃料電池システム。
【請求項６】
前記制約理由情報は、点灯パターンの違いにより区別されている請求項１または２記載の燃料電池システム。
【発明の詳細な説明】
【技術分野】
【０００１】
本発明は、リモコン装置を備えている燃料電池システムに関する。
【背景技術】
【０００２】
燃料電池システムは、燃料電池ユニットによる発電機能だけでなく貯湯ユニットによる給湯機能も備えており、それら燃料電池システムのリモコンとから構成される。リモコンは発電と給湯との動作情報をリモコン画面に表示する。
【０００３】
また、これらの発電と給湯の動作情報だけでなく、燃料電池システムの定期メンテナンスやエラー情報などをアラーム情報としてリモコンに表示し、そしてアラーム情報を表示している場合には、サービスメンテマンが追加で操作すればそのアラーム情報の詳細情報がわかるようにしメンテナンスを向上させている（例えば、特許文献１参照）。
【０００４】
また、燃料電池システムが正常に機能するように、周囲の動作環境・条件や機器の状況に応じて一時的に発電をしないような保護機能が設計されている。例えば燃料電池システムに直射日光があたりつづけて高温になったときには発電しないが、そういった場合にはリモコンにはエラーのようなアラーム情報を表示しない。
【先行技術文献】
【特許文献】
【０００５】
【特許文献１】国際公開第２０１２／０６３３８０号
【発明の概要】
【発明が解決しようとする課題】
【０００６】
しかしながら、リモコン画面に保護動作中と表示するだけでは、燃料電池システムがなぜ発電できないかはお客様にとってはよくわからない。また具体的にリモコン装置に説明を追加すると複雑になり、お客様に困難でわかりにくい。
【０００７】
また、前記特許文献１のようにアラーム情報だけを示すだけでは、メンテマンが保護動作中にリモコン操作しないと詳細情報が分からないので、メンテマンが現地でリモコンを操作し確認しないといけないため、お客様へのサービスまたメンテナンス性も悪い。
【０００８】
本発明は、燃料電池ユニットが保護動作中で発電しない場合に、メンテマンがいなくとも、お客様に分かりすく保護動作の詳細情報を伝えることができるリモコン表示を提供することを目的とする。
【課題を解決するための手段】
【０００９】
前記従来の課題を解決するためには燃料電池ユニットと、前記燃料電池ユニットの発電状況を表示するリモコン装置とを備えた燃料電池システムであって、前記燃料電池ユニットは、あらかじめ定められた複数の制約理由のうち、少なくともいずれか一つが存在する場合には、発電しないように構成されており、前記リモコン装置は、前記燃料電池ユニットが前記制約理由により発電できない場合には、発電できないことを示す情報と、いずれの制約理由により発電できないかを視覚表現で区別した制約理由情報とを表示する燃料電池システムである。
【発明の効果】
【００１０】
本発明のリモコン装置によれば、燃料電池ユニットが発電していない場合に、燃料電池
ユニットの故障でなく、どのような機器の制約理由で動作しないことを明確にお客様に伝えることができ、不安を与えない。もし、お客さまが思わずサービスセンターに問い合わせしても、リモコン装置の表示を確認すれば、問い合わせで即答できるので、サービスメンテマンが現地でリモコン追加操作し制約理由を確認する必要がなくなる。
【図面の簡単な説明】
【００１１】
【図１】本発明の実施の形態１における燃料電池システムの構成図
【図２】同燃料電池システムのリモコン装置の構成図
【図３】同燃料電池システムのにおいて燃料電池が発電していない場合のリモコン動作表示の図
【図４】同燃料電池システムのにおいて燃料電池が保護動作により発電していない場合のリモコン動作表示の図
【図５】同燃料電池システムのにおいて沸しあげの間の保護動作中のリモコン動作表示の図
【図６】同燃料電池システムのにおいて保護動作の理由をマークの形で区別したリモコン動作表示の図
【発明を実施するための形態】
【００１２】
第１の発明は、燃料電池ユニットと、前記燃料電池ユニットの発電状況を表示するリモコン装置とを備えた燃料電池システムであって、前記燃料電池ユニットは、あらかじめ定められた複数の制約理由のうち、少なくともいずれか一つが存在する場合には、発電しないように構成されており、前記リモコン装置は、前記燃料電池ユニットが前記制約理由により発電できない場合には、発電できないことを示す情報と、いずれの制約理由により発電できないかを視覚表現で区別した制約理由情報とを表示する燃料電池システム。これにより燃料電池ユニットが発電していない場合に、燃料電池ユニットの故障でなく、どのような機器の制約理由で動作しないことを明確にお客様に伝えることができ、不安を与えないリモコン装置を提供することができる。そして、ユーザーには分かりやすく・使いやすいリモコンが提供できる。また、これにより、お客さまが思わずサービスセンターに問い合わせしても、リモコン装置の表示を確認すれば、問い合わせで即答できるので、サービスメンテマンが現地でリモコン追加操作し制約理由を確認する必要がなくなる。
【００１３】
第２の発明は、前記リモコン装置は、前記燃料電池ユニットが二つ以上の制約理由により発電できない場合には、前記二つ以上の制約理由のうち、継続する時間が最も長い制約理由を前記制約理由情報として表示する請求項１記載の燃料電池システム。これにより、燃料電池ユニットが複数の制約理由で発電していない場合に、視覚表現が不必要に切り替わらずにすむ。燃料電池ユニットで発生した事象を不必要に細かく伝える必要がなくなり、主に制約された理由１つみを伝えることとなりお客様に不安を与えないですむ。
【００１４】
第３の発明は、前記リモコン装置は、前記燃料電池ユニットが制約理由により発電できない場合に、前記の制約理由が異なる表示領域に既に状態表示をしている間は、前記制約理由情報を新たに表示しない請求項１記載の燃料電池システム。これにより、燃料電池ユニットが発電していない場合に、既存の表示と併記しないことでリモコン表示がわかりやすくなり、お客様を困惑させることがなくなる。
【００１５】
第４の発明は、前記制約理由情報は、色の違いにより区別されている請求項１及び２記載の燃料電池システム。これにより、色の違いで表示することで、リモコン画面で制約理由を文章で説明する必要もなくなりリモコン表示が煩雑ならない。また、簡便な表示内容であれば、お客様も理解もしやすくなる。
【００１６】
第５の発明は、前記制約理由情報は、アイコンの違いにより区別されている請求項１及
び２記載の燃料電池システム。これにより、アイコンの形の違いで表示することで、リモコン画面で制約理由を文章で説明する必要もなくなりリモコン表示が煩雑ならない。また、簡便な表示内容であれば、お客様も理解もしやすくなる。また、白黒表示の表示機器でも対応できる。
【００１７】
第６の発明は、前記制約理由情報は、点灯パターンの違いにより区別されている請求項１及び２記載の燃料電池システム。これにより、アイコンの点灯パターンの違いで表示することで、リモコン画面で制約理由を文章で説明する必要もなくなりリモコン表示が煩雑ならない。また、簡便な表示内容であれば、お客様も理解もしやすくなる。あわせて、お客様に注意喚起したい制約理由があった場合に、それを特徴づけることもできる。
【００１８】
以下、本発明の実施の形態について、図面を参照しながら説明する。なお、この実施の形態によって本発明が限定されるものではない。
【００１９】
（実施の形態１）
図１は本発明の実施の形態１における燃料電池システムの構成図である。図１において、燃料電池システム１１は燃料、例えばガスから水素を取り出し酸素と反応させ燃料電池ユニット１２で発電する。具体的には改質器１８にてガスから水素を取り出し、取り出した水素を酸素と反応させるスタック１９などにより燃料電池ユニット１２が構成される。また燃料電池ユニット１２の発電の際に発生する排熱を利用して生成したお湯を貯湯ユニット１３の貯湯タンク１５にお湯をため、タンクのお湯が利用できない場合には、ガスを利用した給湯器１４を利用しお湯を生成するシステムである。そして燃料電池システム１１にて、発電方法の設定を行ったり、所望の給湯温度に設定したりするためリモコン装置１７を利用する。
【００２０】
図２は本発明の実施の形態１におけるリモコン装置の構成図である。図２では燃料電池が発電中を示している場合で、発電モード表示部２１１が表示されている。リモコン装置１７は、図１におけるリモコン装置１７のことである。リモコン装置１７は、表示部２０２と操作スイッチ部２０５から構成される。表示部２０２には発電状態を示す発電表示部２０３と給湯器状態の給湯温度やお湯温度を表示する給湯表示部２０４から構成され、燃料電池システム１１の発電機能と給湯機能を操作できるようになる。表示部２０２は図２に示すような画像を表示するこができれば、どのような形態でもよく、例えば液晶などが用いることができる。その表示部２０２の制御手段はＣＰＵの演算処理器で構成され、ＣＰＵで動作するソフトウェアや画像は不揮発性メモリ等のメモリに記憶される。ＣＰＵでソフトウェアが動作し、必要な画像を液晶に表示することで、表示部２０２に燃料電池システムの動きにあった画像が表示される。図２に示すリモコン画面はリモコンの最初に現れるトップ画面である。メニューなどリモコン操作した後にもこのトップ画面にもどるような、最もユーザーが目にする画面である。
【００２１】
燃料電池システム１１の給湯機能の表示動作に関して説明する。給湯表示部２０４にはふろ温度表示部２０９と給湯温度表示部２１０に表示される。ふろ温度表示部２０９にはふろを沸かす際のお湯の設定温度が表示される。一般的には、給湯温度はユーザーの利便性からも、リモコンのトップ画面で操作スイッチ部２０５の上下スイッチ操作で直接温度変更が可能である。変更後の温度は給湯温度表示部２１０に表示更新される。この給湯温度表示部２１０にはシャワーや蛇口から出る給湯温度に関するお湯の設定温度が表示される。また、ふろを沸かす際の温度は、トップ画面の上下スイッチでなく、リモコンのメニューの中で設定温度を変更する。変更後の温度はふろ温度表示部２０９に表示が更新される動作となる。
【００２２】
次に、燃料電池システム１１の発電機能の表示動作に関して説明する。図２のように発
電電力表示部２０６には燃料電池ユニット１２が発電している電力０・７５ｋｗが表示され、燃料電池の発電の動きが見える。また、矢印などのアニメーションで動きを加えることで、その動きを更に分かりやすくすることもできる。そして、購入電力表示部２０８の購入電力０．７５ｋｗとあわせて、負荷電力表示部２０７の家庭内の負荷電力１．５０ｋｗをまかなうことを示す。このように燃料電池ユニット１２の発電に関わる電力表示を発電電力表示部２０６に行うことで、燃料電池ユニット１２の発電の動きが見えるようになる。
【００２３】
図３では燃料電池が発電していない場合の動作表示である。発電電力表示部３２には０．００ｋｗと表示し、これで燃料電池ユニット１２が発電していない状態を表す。そして、購入電力表示部３４の購入電力１．５０ｋｗのみで、負荷電力表示部３３の家庭内の負荷電力１．５０ｋｗをまかなうことを示す。また、燃料電池ユニット１２が発電しようと起動している状態や発電中であること、または発電が停止しようとしている状態なども発電電力表示部３２でアイコンを用いて表示することで、燃料電池ユニット１２の状態を示すことでユーザーは燃料電池の動きを理解できるようになる。発電モード表示部３１には燃料電池システム１１に任せて発電する場合には「自動発電」や発電しない場合には「発電切」などを表示して発電状態を示す。例えば、図３のように自動発電でも発電していない時間帯の場合には、発電モード表示部３１には、自動発電と表示され、発電電力表示部３２には燃料電池ユニット１２が発電していないので電力０．００ｋｗと表示される。
【００２４】
図４では燃料電池が保護動作により発電していない場合の動作表示である。燃料電池システム１１に任せて発電する「自動発電」や時間予約して発電させる「予約発電」を設定している場合に、燃料電池システム１１が周囲の動作環境・条件や機器の状況に応じて一時的に発電できない状態となり発電ができなくなった場合には、この発電モード表示部４１に「保護動作中」と表示する。保護動作中になる理由は燃料電池システム１１によって複数あり、例えば、燃料電池システム１１に長時間直射日光があたり高温になったときには、温度が下がるまでは発電しないように保護する機能がある。他にも家庭内の電気使用量が多く、燃料電池システム１１が発電しようとするとブレーカーが遮断される可能性がある場合もある。また、貯湯タンク１５のお湯を一定の長期間利用していない場合、次にお湯使用時に貯湯タンク１５が満タンになるまで沸し上げるときも保護動作となる。そのため、発電モード表示部３１に「保護動作中」だけでは理由が分からず、またポップアップ画面などで詳細に説明してもお客様には分かりづらい。そこで、発電モード表示部３１に保護動作の理由も視覚表現として追加する。カラー表示できるリモコン装置１７の場合には、色によって区別することもできる。例えば燃料電池システム１１に長時間直射日光があたり高温になったときには、温度が下がるまでは発電しない場合には黄色のマーク、その他の場合には、青色や灰色などをつけることで保護動作の理由が区別できる。これにより、お客さまが思わずサービスセンターに問い合わせしても、リモコン装置の表示を確認すれば、問い合わせで即答できるので、サービスメンテマンが現地でリモコン追加操作し制約理由を確認する必要がなくなる。また、マークの色について取扱説明書に区分説明を記載しておけば、お客様自身でその理由を確認することも可能である。
【００２５】
なお、保護動作の理由が複数あった場合には、その理由のうち保護動作が継続する時間が最も長い理由を表示することで、視覚表現が不必要に切り替わらずにすむ。燃料電池ユニットで発生した事象を不必要に細かく伝える必要がなくなり、主に制約された理由１つみを伝えることとなりお客様に不安を与えないですむ。
【００２６】
図５は沸しあげの間の保護動作表示のリモコン装置１７の動作表示である。沸し上げ中は燃料電池システム１１が発電しない保護動作中にあたる。例えばこの間には、リモコン画面の沸し上げ表示部５２に沸し上げ中の表示をする。この表示があれば、保護動作中であることが明確であり、発電モード表示部５１に保護動作中とその理由の表示は行わない
。これにより、燃料電池ユニットが発電していない場合に、既存のリモコン動作表示と併記しないことで表示がわかりやすくなり、お客様を困惑させることがなくなる。
【００２７】
図６は保護動作の理由をマークの形で区別したリモコン装置１７の動作表示である。発電モード表示部６１において、アイコンは色の違いでなく形の違いで△マークや□マーク、○マークなどで保護動作の理由を区別することができる。これにより、リモコン画面で制約理由を文章で説明する必要もなくなりリモコン表示が煩雑ならない。また、簡便な表示内容であれば、お客様も理解もしやすくなり、白黒表示のリモコン表示にも対応できる。
【００２８】
また、保護動作の理由をマークの点灯パターンで区別することも可能である。フェードイン・フェードアウトしながらマークを表示したり、３秒おきにマークを点灯したりすることで、保護動作の理由を区別することができる。これにより、リモコン画面で制約理由を文章で説明する必要もなくなりリモコン表示が煩雑ならない。また、お客様に注意喚起したい保護動作の理由があった場合には点灯間隔を短く１秒などにすることで、それを特徴づけることもできる。
【産業上の利用可能性】
【００２９】
以上のように、本発明にかかるリモコン装置は、燃料電池ユニットが発電していない場合に、燃料電池ユニットの故障でなく、どのような機器の制約理由で動作しないことを明確にお客様に伝えることができ、不安を与えないリモコン装置を提供することができる。そして、ユーザーには分かりやすく・使いやすいリモコンが提供できる。また、これにより、お客さまが思わずサービスセンターに問い合わせしても、リモコン装置の表示を確認すれば、問い合わせで即答できるので、サービスメンテマンが現地でリモコン追加操作し制約理由を確認する必要がなくなる。
【符号の説明】
【００３０】
１１  燃料電池システム
１２  燃料電池ユニット
１３  貯湯ユニット
１４  給湯器
１５  貯湯タンク
１７  リモコン装置
１８  改質器
１９  スタック
３１  発電モード表示部
３２  発電電力表示部
３３  負荷電力表示部
３４  購入電力表示部
４１  発電モード表示部
５１  発電モード表示部
５２  沸し上げ表示部
６１  発電モード表示部
２０２  表示部
２０３  発電表示部
２０４  給湯表示部
２０５  操作スイッチ部
２０６  発電電力表示部
２０７  負荷電力表示部
２０８  購入電力表示部
２０９  ふろ温度表示部
２１０  給湯温度表示部
２１１  発電モード表示部
【図１】
2014197458.tif 000003
【図２】
2014197458.tif 000004
【図３】
2014197458.tif 000005
【図４】
2014197458.tif 000006
【図５】
2014197458.tif 000007
【図６】
2014197458.tif 000008